(57)【要約】【課題】綴じ込む書類の厚さが薄くても、書棚などへの収まりが良好なファイルおよびファイルの書棚などへの収まりを良好にする保持部を提供する。【解決手段】背部２と綴じ具３と第１表紙４と第２表紙５と保持部６とを有する。背部２は長方形の板状である。綴じ具３は背部２の一方の面に取り付けられる。第１表紙４および第２表紙５はそれぞれ背部２の２つの側縁部で綴じ具３を挟む側に折り曲げ可能である。保持部６は小口部７と固定部８とを有する。小口部７は長方形の板状であって背部２の幅と同じ幅を有する。小口部７は第１表紙４の側縁部に直角に設けられる。固定部８は小口部７の側縁部に直角に設けられる。固定部８は第２表紙５と着脱可能な結合部材９を有する。保持部６は第１表紙４および第２表紙５を閉じたとき第１表紙４と第２表紙５との間隔を背部２の幅と同じ間隔で保つ。【選択図】図１
2017149121.tif 000002
【特許請求の範囲】
【請求項１】
背部と綴じ具と第１表紙と第２表紙と保持部とを有し、
前記背部は長方形の板状であって、
前記綴じ具は前記背部の一方の面に取り付けられ、
前記第１表紙および前記第２表紙はそれぞれ前記背部の２つの側縁部で前記綴じ具を挟む側に折り曲げ可能に設けられ、
前記保持部は前記第１表紙および前記第２表紙を閉じたとき前記第１表紙と前記第２表紙との間隔を前記背部の幅と同じ間隔で保つよう設けられていることを、
特徴とするファイル。
【請求項２】
前記保持部は小口部と固定部とを有し、
前記小口部は長方形の板状であって前記背部の幅と同じ幅を有し、前記背部から離れた前記第１表紙の側縁部に前記綴じ具の側で直角に設けられ、
前記固定部は前記第１表紙から離れた前記小口部の側縁部に前記綴じ具の側で直角に設けられ、前記第２表紙と着脱可能な結合部材を有することを、
特徴とする請求項１記載のファイル。
【請求項３】
前記保持部は小口部と２つの挿入部とを有し、
前記小口部は長方形の板状であって前記背部の幅と同じ幅を有し、
各挿入部は前記小口部の２つの側縁部に設けられて前記小口部に対し直角をなし、それぞれ前記第１表紙および前記第２表紙の前記背部から離れた側縁部を挟んで保持可能な隙間を有することを、
特徴とする請求項１記載のファイル。
【請求項４】
背部と綴じ具と第１表紙と第２表紙とを有し、前記背部は長方形の板状であって、前記綴じ具は前記背部の一方の面に取り付けられ、前記第１表紙および前記第２表紙はそれぞれ前記背部の２つの側縁部で前記綴じ具を挟む側に折り曲げ可能に設けられたファイルのための保持部であって、
小口部と２つの挿入部とを有し、
前記小口部は長方形の板状であって前記背部の幅と同じ幅を有し、
各挿入部は前記小口部の２つの側縁部に設けられて前記小口部に対し直角をなし、それぞれ前記第１表紙および前記第２表紙の前記背部から離れた側縁部を挟んで保持可能な隙間を有することを、
特徴とする保持部。
【発明の詳細な説明】
【技術分野】
【０００１】
本発明は、書類を綴じるために用いられるファイルおよびファイルのための保持部に関する。
【背景技術】
【０００２】
従来、背部と表表紙と裏表紙とを有し、背部の内側に書類の綴じ具が取り付けられたファイルが知られている（例えば、特許文献１参照）。
【先行技術文献】
【特許文献】
【０００３】
【特許文献１】特開２０１４−６５２４４号公報
【発明の概要】
【発明が解決しようとする課題】
【０００４】
特許文献１に記載のファイルは、綴じ込む書類が薄いとき、背部の側の幅が広く、表表紙および裏表紙の背部から離れた側が狭いため、書棚や本箱に収納したとき、背部が斜めになってきれいに収まらず、書棚などから落下しやすいという課題があった。
【０００５】
本発明は、このような課題に着目してなされたもので、綴じ込む書類の厚さが薄くても、書棚などへの収まりが良好なファイルおよびファイルの書棚などへの収まりを良好にする保持部を提供することを目的とする。
【課題を解決するための手段】
【０００６】
上記目的を達成するために、本発明に係るファイルは、背部と綴じ具と第１表紙と第２表紙と保持部とを有し、前記背部は長方形の板状であって、前記綴じ具は前記背部の一方の面に取り付けられ、前記第１表紙および前記第２表紙はそれぞれ前記背部の２つの側縁部で前記綴じ具を挟む側に折り曲げ可能に設けられ、前記保持部は前記第１表紙および前記第２表紙を閉じたとき前記第１表紙および前記第２表紙の間隔を前記背部の幅と同じ間隔で保つよう設けられていることを、特徴とする。
【０００７】
本発明に係るファイルで、保持部は第１表紙および第２表紙を閉じたとき、第１表紙と第２表紙との間隔を背部の幅と同じ間隔で保つため、書棚や本箱に収納したとき、隣り合うファイルの表紙と表紙を重ねて、背部を同一平面上に配置し、きれいに収めることができる。なお、本発明において、「ファイル」の範疇には、「バインダー」が含まれる。
【０００８】
本発明に係るファイルにおいて、前記保持部は小口部と固定部とを有し、前記小口部は長方形の板状であって前記背部の幅と同じ幅を有し、前記背部から離れた前記第１表紙の側縁部に前記綴じ具の側で直角に設けられ、前記固定部は前記第１表紙から離れた前記小口部の側縁部に前記綴じ具の側で直角に設けられ、前記第２表紙と着脱可能な結合部材を有していてもよい。
この場合、第１表紙および第２表紙を閉じたとき、固定部を第２表紙と結合部材で結合させることにより、第１表紙と第２表紙との間隔を背部の幅と同じ間隔で保つことができる。
【０００９】
結合部材は、固定部と第２表紙とに取り付けられた１対の面ファスナーから成ることが好ましい。結合部材は、小口部から離れた固定部の側縁部に、第１表紙および第２表紙の背部から離れた側縁部を挟んで保持可能に設けられた隙間から成ってもよい。保持部は、小口部で第１表紙に一体的に設けられていても、別体をなして第１表紙に粘着テープなどで取り付けられていてもよい。第１表紙に対する小口部の角度および小口部に対する固定部の角度は、第１表紙および第２表紙を閉じたとき直角になればよく、常に直角でなくてもよい。
【００１０】
本発明に係るファイルにおいて、前記保持部は小口部と２つの挿入部とを有し、前記小口部は長方形の板状であって前記背部の幅と同じ幅を有し、各挿入部は前記小口部の２つの側縁部に設けられて前記小口部に対し直角をなし、それぞれ前記第１表紙および前記第２表紙の前記背部から離れた側縁部を挟んで保持可能な隙間を有していてもよい。
この場合、２つの挿入部の隙間で第１表紙および第２表紙の背部から離れた側縁部を挟んで保持することにより、第１表紙と第２表紙との間隔を背部の幅と同じ間隔で保つことができる。
保持部は、挿入部の隙間で第１表紙および第２表紙を保持しやすいようゴム材または軟質樹脂から成ってもよい。
【００１１】
本発明に係る保持部は、背部と綴じ具と２枚の表紙とを有し、前記背部は長方形の板状であって、前記綴じ具は前記背部の一方の面に取り付けられ、前記第１表紙および前記第２表紙はそれぞれ前記背部の２つの側縁部で前記綴じ具を挟む側に折り曲げ可能に設けられたファイルのための保持部であって、小口部と２つの挿入部とを有し、前記小口部は長方形の板状であって前記背部の幅と同じ幅を有し、各挿入部は前記小口部の２つの側縁部に設けられて前記小口部に対し直角をなし、それぞれ前記第１表紙および前記第２表紙の前記背部から離れた側縁部を挟んで保持可能な隙間を有することを、特徴とする。
【００１２】
本発明に係る保持部は、２つの挿入部の隙間で第１表紙および第２表紙の背部から離れた側縁部を挟んで保持することにより、第１表紙と第２表紙との間隔を背部の幅と同じ間隔で保つことができる。
保持部は、挿入部の隙間で第１表紙および第２表紙を保持しやすいようゴム材または軟質樹脂から成ってもよい。保持部は、小口部の幅を調整可能であってもよい。例えば、小口部を２枚の板で構成し、各板を面ファスナーで着脱可能に貼り付けることにより、幅を調整可能である。
【発明の効果】
【００１３】
本発明によれば、綴じ込む書類の厚さが薄くても、書棚などへの収まりが良好なファイルおよびファイルの書棚などへの収まりを良好にする保持部を提供することができる。
【図面の簡単な説明】
【００１４】
【図１】本発明の実施の形態のファイルを示す（Ａ）表紙を開いた状態の斜視図、（Ｂ）表紙を閉じた状態の平面図、（Ｃ）本発明の実施の形態のファイルで用いられる保持部の変形例を示す平面図である。
【図２】本発明の他の実施の形態のファイルを示す（Ａ）保持部を外した状態の斜視図、（Ｂ）表紙を閉じた状態の平面図である。
【発明を実施するための形態】
【００１５】
以下、図面に基づき、本発明の実施の形態について説明する。
図１は、本発明の第１の実施の形態のファイルを示している。
図１（Ａ）に示すように、ファイル１は、背部２と綴じ具３と第１表紙４と第２表紙５と保持部６とを有している。綴じ具３は、背部２の内側となる一方の面に取り付けられている。綴じ具３は、書類にあけたパンチ孔に軸材３ａを挿入して綴じるようになっている。背部２と第１表紙４と第２表紙５と保持部６とは、１枚の長方形状の厚紙を短辺に平行な折曲げ線で折り曲げて一体的に成り、それぞれ長方形の板状をなしている。これにより、第１表紙４および第２表紙５は、それぞれ背部２の２つの側縁部２ａ，２ｂで綴じ具３を挟む側に折り曲げ可能に設けられている。なお、第１表紙４および第２表紙５は、どちらが表表紙でもよく、保持部６は背部２に対して左側に位置しても右側に位置してもよい。
【００１６】
保持部６は、小口部７と固定部８とを有する。小口部７は、長方形の板状であって背部２の幅と同じ幅を有している。小口部７は、背部２から離れた第１表紙４の側縁部４ａを折曲げ線として、綴じ具３の側に直角に折り曲げられている。固定部８は、第１表紙４から離れた小口部７の側縁部７ａを折曲げ線として、綴じ具３の側に直角に折り曲げられている。なお、第１表紙４に対する小口部７の折曲げ角度および小口部７に対する固定部８の折曲げ角度は、第１表紙４および第２表紙５を閉じたとき直角になればよく、常に直角でなくてもよい。
【００１７】
固定部８は、第２表紙５と着脱可能な結合部材９を有している。結合部材９は、１対の面ファスナーから成る。結合部材９のループ側およびフック側の一方が固定部８の外側面の上部位置と下部位置とに貼り付けられ、他方が第２表紙５の内側面の対応する上部位置と下部位置とに貼り付けられている。これにより、図１（Ｂ）に示すように、保持部６は、第１表紙４および第２表紙５を閉じて結合部材９で固定部８と第２表紙５とを結合させたとき、第１表紙４と第２表紙５との間隔を背部２の幅と同じ間隔で保つようになっている。
【００１８】
このように、図１（Ｂ）に示すように、保持部６は第１表紙４および第２表紙５を閉じたとき、第１表紙４と第２表紙５との間隔を背部２の幅と同じ間隔で保つため、綴じ込む書類の厚さが薄くても、書棚や本箱に収納したとき、隣り合うファイル１の表紙と表紙を重ねて、背部２を同一平面上に配置し、きれいに収めることができる。
【００１９】
図１（Ｃ）に示すように、保持部６は、第１表紙４と別体をなしていてもよい。この場合、保持部６は、小口部７と固定部８と取付け部７ｂとを有する。小口部７は、長方形の板状であって背部２の幅と同じ幅を有している。固定部８は、小口部７の一方の側縁部７ａを折曲げ線として直角に折り曲げられている。取付け部７ｂは、小口部７の他方の側縁部を折曲げ線として固定部８と同じ側に直角に折り曲げられている。固定部８は、前述の構成と同様に、第２表紙５と着脱可能な結合部材９を有している。取付け部７ｂは、小口部７が第１表紙４の側縁部４ａに対して綴じ具３の側に直角になるよう、第１表紙４の綴じ具３の側の面に両面粘着テープ１０で貼り付けられている。保持部６が第１表紙４と別体の場合、市販のファイルを書棚などにきれいに収めるため、市販のファイルに用いることができる。
【００２０】
図２は、本発明の第２の実施の形態のファイルを示している。
図２（Ａ）、（Ｂ）に示すように、ファイル１１は、背部１２と綴じ具１３と第１表紙１４と第２表紙１５と保持部１６とを有している。綴じ具１３は、背部１２の内側となる一方の面に取り付けられている。綴じ具１３は、書類にあけたパンチ孔に軸材１３ａを挿入して綴じるようになっている。背部１２と第１表紙１４と第２表紙１５とは、１枚の長方形状の厚紙を短辺に平行な折曲げ線で折り曲げて一体的に成り、それぞれ長方形の板状をなしている。
【００２１】
これにより、第１表紙１４および第２表紙１５は、それぞれ背部１２の２つの側縁部１２ａ，１２ｂで綴じ具１３を挟む側に折り曲げ可能に設けられている。保持部１６は、小口部１７と２つの挿入部１８，１９とを有する。小口部１７は、長方形の板状であって背部１２の幅と同じ幅を有している。各挿入部１８，１９は、２枚の長方形の板を互いに平行に配置して構成されている。各挿入部１８，１９は、小口部１７の２つの側縁部１７ａ，１７ｂに設けられて小口部１７に対し直角をなしている。各挿入部１８，１９は、各長方形の板の間に、それぞれ第１表紙１４および第２表紙１５の背部１２から離れた側縁部１４ａ，１５ａを挟んで保持可能な隙間１８ａ，１９ａを有する。
【００２２】
このように、保持部１６は、第１表紙１４および第２表紙１５を閉じたとき、２つの挿入部１８，１９の隙間１８ａ，１９ａで第１表紙１４および第２表紙１５の背部１２から離れた側縁部１４ａ，１５ａを挟んで保持することにより、第１表紙１４と第２表紙１５との間隔を背部１２の幅と同じ間隔で保つことができる。このため、綴じ込む書類の厚さが薄くても、書棚や本箱に収納したとき、隣り合うファイル１１の表紙と表紙を重ねて、背部１２を同一平面上に配置し、ファイル１１をきれいに収めることができる。
なお、保持部１６は、市販のファイルを書棚などにきれいに収めるため、市販のファイルに取り付けられてもよい。
【符号の説明】
【００２３】
１  ファイル
２  背部
２ａ，２ｂ  側縁部
３  綴じ具
３ａ  軸材
４  第１表紙
４ａ  側縁部
５  第２表紙
６  保持部
７  小口部
７ａ  側縁部
７ｂ  取付け部
８  固定部
９  結合部材
１０  両面粘着テープ
１１  ファイル
１２  背部
１２ａ，１２ｂ  側縁部
１３  綴じ具
１３ａ  軸材
１４  第１表紙
１４ａ  側縁部
１５  第２表紙
１５ａ  側縁部
１６  保持部
１７  小口部
１７ａ，１７ｂ  側縁部
１８，１９  挿入部
１８ａ，１９ａ  隙間
【図１】
2017149121.tif 000003
【図２】
2017149121.tif 000004